(57)【要約】【課題】情報の伝送を円滑に実施でき、画像の表示状態を良好にできる画像表示システムを提供すること。【解決手段】画像表示システムは、ＰＣ２と、プロジェクタと、複数の情報伝送手段４とを備える。ＰＣ２は、複数の情報伝送手段４を介してプロジェクタに情報を送信する送受信部２３１と、画像情報に所定の画像処理を施す画像処理部２３５と、画像処理部２３５にて画像処理が施された画像情報を分割して複数の分割情報を生成し、複数の分割情報を送受信部２３１を構成する複数のデータ変換回路２３１１，２３１２にそれぞれ割り当てて送信させる情報送信制御部２３６１とを備える。プロジェクタは、複数の情報伝送手段４を介して送信された複数の分割情報を複数の記憶領域のうち情報伝送手段に対応した記憶領域にそれぞれ記憶し、複数の記憶領域に記憶された複数の分割情報を読み出して画像情報を生成し、生成した画像情報に基づく画像を表示する。【選択図】図２
2007163725.tif 000002
【特許請求の範囲】
【請求項１】
画像情報を処理する情報処理装置と、前記情報処理装置にて処理された前記画像情報に基づく画像を表示する画像表示装置と、前記情報処理装置および前記画像表示装置間を情報の送受信可能に接続する情報伝送手段とを備えた画像表示システムであって、
前記情報伝送手段は、複数で構成され、
前記情報処理装置は、
前記複数の情報伝送手段に対応して複数で構成され、前記複数の情報伝送手段を介して前記画像表示装置に情報を送信する情報送信部と、
前記画像情報に所定の画像処理を施す画像処理部と、
前記画像処理部にて画像処理が施された処理済み画像情報を分割して複数の分割情報を生成し、前記複数の分割情報を前記複数の情報送信部にそれぞれ割り当てて送信させる情報送信制御部とを備え、
前記画像表示装置は、
前記複数の情報伝送手段に対応して複数で構成され、前記複数の情報伝送手段を介して前記情報処理装置から送信された前記複数の分割情報を受信する情報受信部と、
前記複数の情報受信部に対応して複数の記憶領域を有し、前記複数の情報受信部にて受信した前記複数の分割情報を前記情報受信部に対応した記憶領域にそれぞれ記憶する情報記憶部と、
前記情報記憶部の複数の記憶領域にそれぞれ記憶された前記複数の分割情報を読み出して、前記処理済み画像情報を生成する画像情報生成部と、
前記画像情報生成部にて生成された処理済み画像情報に基づく画像を表示装置側表示部に表示させる表示装置側表示制御部とを備えている
ことを特徴とする画像表示システム。
【請求項２】
請求項１に記載の画像表示システムにおいて、
前記情報送信制御部は、複数フレームの前記処理済み画像情報をフレーム毎に分割して前記複数の分割情報を生成する
ことを特徴とする画像表示システム。
【請求項３】
請求項１に記載の画像表示システムにおいて、
前記情報送信制御部は、前記処理済み画像情報を表示領域上の所定の領域毎に分割して前記複数の分割情報を生成する
ことを特徴とする画像表示システム。
【請求項４】
請求項３に記載の画像表示システムにおいて、
前記情報送信制御部は、前記複数の情報伝送手段の規格に応じた各伝送速度に基づいて、前記処理済み画像情報を表示領域上の所定の領域毎に分割して前記複数の分割情報を生成する
ことを特徴とする画像表示システム。
【請求項５】
請求項３に記載の画像表示システムにおいて、
前記情報処理装置は、
処理装置側表示部を駆動制御し、前記処理装置側表示部に表示領域上で領域毎に異なる画像を表示させる処理装置側表示制御部と、
前記処理装置側表示部の前記表示領域上に表示された画像に関する表示画像情報を取得する表示画像取得部とを備え、
前記画像処理部は、前記表示画像取得部にて取得された前記表示画像情報に所定の画像処理を施し、
前記情報送信制御部は、前記画像処理部にて画像処理が施された処理済み表示画像情報を、前記処理装置側表示制御部にて前記処理装置側表示部に異なる画像を表示させている前記領域毎に分割して前記複数の分割情報を生成する
ことを特徴とする画像表示システム。
【請求項６】
請求項１に記載の画像表示システムにおいて、
前記情報送信制御部は、前記処理済み画像情報に含まれるビットで表される画素毎の色調データを、所定のビット長で分割して前記複数の分割情報を生成する
ことを特徴とする画像表示システム。
【請求項７】
請求項１から請求項６のいずれかに記載の画像表示システムにおいて、
前記情報送信制御部は、前記複数の情報伝送手段の規格に応じた各伝送速度に基づいて、前記複数の分割情報を前記複数の情報送信部にそれぞれ割り当てて送信させる
ことを特徴とする画像表示システム。
【請求項８】
請求項１から請求項７のいずれかに記載の画像表示システムにおいて、
前記情報処理装置は、複数設けられ、前記複数の情報伝送手段を介して前記画像表示装置に接続し、
前記画像情報生成部は、前記複数の情報処理装置から前記複数の情報伝送手段を介して送信された各画像情報を所定の領域に割り当てて表示画像情報を生成し、
前記表示装置側表示制御部は、前記画像情報生成部にて生成された表示画像情報に基づく画像を表示装置側表示部に表示させる
ことを特徴とする画像表示システム。
【請求項９】
画像情報を処理する情報処理装置と、前記情報処理装置にて処理された前記画像情報に基づく画像を表示する画像表示装置と、前記情報処理装置および前記画像表示装置間を情報の送受信可能に接続する複数の情報伝送手段とを備えた画像表示システムを利用した画像表示方法であって、
前記情報処理装置は、
前記画像情報に所定の画像処理を施す画像処理ステップと、
画像処理を施した処理済み画像情報を分割して複数の分割情報を生成する情報分割ステップと、
前記複数の分割情報を前記複数の情報伝送手段にそれぞれ割り当てて前記画像表示装置に送信する送信ステップとを実行し、
前記画像表示装置は、
前記複数の情報伝送手段を介して前記複数の分割情報を受信する受信ステップと、
受信した前記複数の分割情報を複数の記憶領域のうち前記情報伝送手段に対応した記憶領域にそれぞれ記憶する情報記憶ステップと、
前記複数の記憶領域にそれぞれ記憶された前記複数の分割情報を読み出して、前記処理済み画像情報を生成する画像生成ステップと、
生成した処理済み画像情報に基づく画像を表示する画像表示ステップとを実行する
ことを特徴とする画像表示方法。
【請求項１０】
画像情報に処理を施し、複数の情報伝送手段を介して処理を施した処理済み画像情報を画像表示装置に送信する情報処理装置であって、
前記複数の情報伝送手段に対応して複数で構成され、前記複数の情報伝送手段を介して前記画像表示装置に情報を送信する情報送信部と、
前記画像情報に所定の画像処理を施す画像処理部と、
前記画像処理部にて画像処理が施された処理済み画像情報を分割して複数の分割情報を生成し、前記複数の分割情報を前記複数の情報送信部に割り当てて送信させる情報送信制御部とを備えている
ことを特徴とする情報処理装置。
【請求項１１】
画像情報に処理を施し、複数の情報伝送手段を介して処理を施した処理済み画像情報を画像表示装置に送信する情報処理装置の制御プログラムであって、
前記情報処理装置に組み込まれたコンピュータに、
前記画像情報に所定の画像処理を施す画像処理ステップと、
画像処理を施した処理済み画像情報を分割して複数の分割情報を生成する情報分割ステップと、
前記複数の分割情報を前記複数の情報伝送手段にそれぞれ割り当てて前記画像表示装置に送信する送信ステップとを実行させる
ことを特徴とする制御プログラム。
【請求項１２】
請求項１１に記載の制御プログラムがコンピュータに読取可能に記録されていることを特徴とする制御プログラムを記録した記録媒体。
【請求項１３】
画像情報に処理を施し、処理を施した処理済み画像情報を複数の分割情報に分割して複数の情報伝送手段を介してそれぞれ送信する情報処理装置と前記複数の情報伝送手段を介して接続される画像表示装置であって、
前記複数の情報伝送手段に対応して複数で構成され、前記複数の情報伝送手段を介して前記情報処理装置から送信された前記複数の分割情報を受信する情報受信部と、
前記複数の情報受信部に対応して複数の記憶領域を有し、前記複数の情報受信部にて受信した前記複数の分割情報を前記情報受信部に対応した記憶領域にそれぞれ記憶する情報記憶部と、
前記情報記憶部の複数の記憶領域にそれぞれ記憶された前記複数の分割情報を読み出して、前記処理済み画像情報を生成する画像情報生成部と、
前記画像情報生成部にて生成された処理済み画像情報に基づく画像を表示装置側表示部に表示させる表示装置側表示制御部とを備えている
ことを特徴とする画像表示装置。
【請求項１４】
画像情報に処理を施し、処理を施した処理済み画像情報を複数の分割情報に分割して複数の情報伝送手段を介してそれぞれ送信する情報処理装置と前記複数の情報伝送手段を介して接続される画像表示装置の制御プログラムであって、
前記画像表示装置に組み込まれたコンピュータに、
前記複数の情報伝送手段を介して前記複数の分割情報を受信する受信ステップと、
受信した前記複数の分割情報を複数の記憶領域のうち前記情報伝送手段に対応した記憶領域にそれぞれ記憶する情報記憶ステップと、
前記複数の記憶領域にそれぞれ記憶された前記複数の分割情報を読み出して、前記処理済み画像情報を生成する画像生成ステップと、
生成した画像情報に基づく画像を表示する画像表示ステップとを実行させる
ことを特徴とする制御プログラム。
【請求項１５】
請求項１４に記載の制御プログラムがコンピュータに読取可能に記録されていることを特徴とする制御プログラムを記録した記録媒体。
【発明の詳細な説明】
【技術分野】
【０００１】
本発明は、画像表示システム、画像表示方法、情報処理装置、画像表示装置、制御プログラム、および記録媒体に関する。
【背景技術】
【０００２】
従来、映像ソースの形状補正や色調補正等の画像処理を行うパーソナルコンピュータ（以下、ＰＣと記載する）と、ＰＣで画像処理された画像をスクリーンに投射するプロジェクタと、ＰＣおよびプロジェクタ間をデータの送受信可能に接続するＵＳＢ(Universal Serial Bus)ケーブル等のシリアルケーブルとを備えたプロジェクションシステムが知られている（例えば、特許文献１参照）。
この特許文献１に記載のプロジェクションシステムでは、画像処理は主としてＰＣ上で行っており、プロジェクタは単に画像を投影するだけで複雑な画像処理を行わないので、プロジェクタの構成を非常に簡素化できる。また、元来、ＰＣは、グラフィック処理の機能を有するので、特別にＰＣに新たな機能を付加することなく、高精度の画像処理を行うことができる。
【０００３】
ここで、例えば、映像ソースが動画であった場合に、ＵＳＢの伝送速度が小さいと、１つの画像データを伝送するのに時間がかかるため、プロジェクタによる表示画像のフレームレートが遅くなり、動画再生が適切に行われないこととなる。例えば、滑らかな動画再生には３０フレーム／秒が基準と言われているところ、ＵＳＢを用いた場合に、画像の全データを伝送していたのでは到底不可能なフレームレートである。例えば、ＵＳＢ２．０に期待できる安定した通信速度は２４０Ｍｂｐｓ程度である一方、表示解像度がＸＧＡ（１０２４×７６８ドット）で１画素あたり３０ビットの色情報である画像では約２５Ｍビットのデータ量となる。すると、単純には、９フレーム／秒のフレームレートでしか画像データを伝送できないことになる。仮に理論上の最大通信速度である４８０Ｍｂｐｓで通信を行ったとしても、１８フレーム／秒のフレームレートに止まり、やはり動画再生には適さない。
そこで、特許文献１に記載のプロジェクションシステムでは、解像度を落として送信する、データを圧縮して送信する、あるいは、前画面データの差分データを送信することで、必要な伝送データ量を少なくし、フレームレートを適切なレベルに維持することが提案されている。
【０００４】
【特許文献１】特開２００４−６９９９６号公報
【発明の開示】
【発明が解決しようとする課題】
【０００５】
しかしながら、解像度を落として送信したり、データを圧縮して送信した場合には、画像が劣化することとなり、プロジェクタ側において、高精細な画像を表示できない。
また、差分データを送信した場合には、表示するコンテンツによっては、伝送データ量削減の効果が十分に得られない可能性がある。特に、フレームレートが重要な要素となる動画再生に使用する場合には、画面内における変化部分がフレーム毎で広範囲に亘り、十分なフレームレートが得られない。
したがって、情報の伝送を円滑に実施でき、画像の表示状態を良好にできる技術が要望されている。
【０００６】
本発明の目的は、情報の伝送を円滑に実施でき、画像の表示状態を良好にできる画像表示システム、画像表示方法、情報処理装置、画像表示装置、制御プログラム、および記録媒体を提供することにある。
【課題を解決するための手段】
【０００７】
本発明の画像表示システムは、画像情報を処理する情報処理装置と、前記情報処理装置にて処理された前記画像情報に基づく画像を表示する画像表示装置と、前記情報処理装置および前記画像表示装置間を情報の送受信可能に接続する情報伝送手段とを備えた画像表示システムであって、前記情報伝送手段は、複数で構成され、前記情報処理装置は、前記複数の情報伝送手段に対応して複数で構成され、前記複数の情報伝送手段を介して前記画像表示装置に情報を送信する情報送信部と、前記画像情報に所定の画像処理を施す画像処理部と、前記画像処理部にて画像処理が施された処理済み画像情報を分割して複数の分割情報を生成し、前記複数の分割情報を前記複数の情報送信部にそれぞれ割り当てて送信させる情報送信制御部とを備え、前記画像表示装置は、前記複数の情報伝送手段に対応して複数で構成され、前記複数の情報伝送手段を介して前記情報処理装置から送信された前記複数の分割情報を受信する情報受信部と、前記複数の情報受信部に対応して複数の記憶領域を有し、前記複数の情報受信部にて受信した前記複数の分割情報を前記情報受信部に対応した記憶領域にそれぞれ記憶する情報記憶部と、前記情報記憶部の複数の記憶領域にそれぞれ記憶された前記複数の分割情報を読み出して、前記処理済み画像情報を生成する画像情報生成部と、前記画像情報生成部にて生成された処理済み画像情報に基づく画像を表示装置側表示部に表示させる表示装置側表示制御部とを備えていることを特徴とする。
【０００８】
ここで、情報伝送手段としては、ＵＳＢケーブルやＬＡＮ(Local Area Network)ケーブル等の有線にて情報を伝送する各規格に限らず、無線媒体（電波、音、赤外線等）を介して情報を伝送する規格も含むものである。また、複数の情報伝送手段の各規格としては、特に限定されず、同一の規格とする構成としてもよいし、異なる規格とする構成としても構わない。
また、情報記憶部としては、単体の記憶部で構成し複数の記憶領域に情報をそれぞれ記憶させる構成の他、複数の記憶部で構成し該複数の記憶部に情報をそれぞれ記憶させる構成としても構わない。
本発明によれば、画像表示システムにおいて、情報伝送手段が複数で構成され、情報処理装置は複数の情報送信部、画像処理部、および情報送信制御部を備え、画像表示装置は複数の情報受信部、情報記憶部、画像情報生成部、および表示装置側表示部を備えているので、以下に示すように、画像表示装置に画像を表示させることができる。
先ず、情報処理装置側にて、以下に示すように、画像情報を処理して送信する。
すなわち、画像処理部は、画像情報に対して所定の画像処理、例えば、形状補正処理や色調補正処理を施す。
また、情報送信制御部は、画像処理部にて画像処理が施された処理済み画像情報を分割して複数の分割情報を生成する。
そして、情報送信制御部は、生成した複数の分割情報を複数の情報送信部にそれぞれ割り当てて、複数の情報伝送手段を介して画像表示装置側に送信させる。
【０００９】
次に、画像表示装置側にて、以下に示すように、情報を受信して表示する。
すなわち、複数の情報受信部は、複数の情報伝送手段を介して情報処理装置側から送信された複数の分割情報を受信する。
また、情報記憶部は、複数の情報受信部にて受信された複数の分割情報を、複数の記憶領域のうち受信した情報受信部に対応した記憶領域にそれぞれ記憶する。
さらに、画像情報生成部は、複数の記憶領域にそれぞれ記憶された複数の分割情報を読み出して、情報処理装置の画像処理部にて画像処理が施された処理済み画像情報を生成する。
そして、処理装置側表示制御部は、処理装置側表示部を駆動制御して、画像情報生成部にて生成された処理済み画像情報に基づく画像を処理装置側表示部に表示させる。
【００１０】
以上のような構成により、情報伝送手段が複数で構成され、情報処理装置が画像情報を分割した複数の分割情報を複数の情報伝送手段を介して画像表示装置側にそれぞれ送信するので、複数の分割情報を並列に画像表示装置側に送信でき、画像情報の伝送を円滑に実施できる。
また、画像表示装置が受信した複数の分割情報に基づいて情報処理装置側にて画像処理が施された処理済み画像情報を生成し、処理済み画像情報に基づく画像を表示するので、従来のように解像度を落としたりデータを圧縮して送信する構成と比較して、情報処理装置にて画像処理が施された高精細な画像を表示できる。
したがって、本発明によれば、画像表示装置に動画を表示させる場合であっても、例えば情報伝送手段を単体で構成し該情報伝送手段を介して画像情報を順次、画像表示装置側に送信する構成と比較して、単体の情報伝送手段の伝送速度によって画像表示装置による表示画像のフレームレートが制限されることなく、画像表示装置による表示画像のフレームレートを動画自体のフレームレートに合わせて滑らかに表示できる。
【００１１】
本発明の画像表示システムでは、前記情報送信制御部は、複数フレームの前記処理済み画像情報をフレーム毎に分割して前記複数の分割情報を生成することが好ましい。
本発明によれば、情報送信制御部は、複数フレームの処理済み画像情報をフレーム毎に分割して複数の分割情報を生成するので、各分割情報（フレーム毎の処理済み画像情報）を複数の情報送信部にそれぞれ割り当てて、複数の情報伝送手段を介して並列に各分割情報を画像表示装置側に送信できる。そして、画像表示装置側では、画像情報生成部が情報記憶部の複数の記憶領域にそれぞれ記憶された各分割情報を所定のタイミングで読み出して各分割情報を所定の順序で組み合わせる（画像情報を生成する）ことで、所定の順序でフレーム毎に画像を表示できる。
すなわち、画像表示装置に動画を表示させる場合であっても、情報伝送手段の数に応じた複数フレームの処理済み画像情報を纏めて画像表示装置側に送信することで、複数の情報伝送手段を介して並列に各分割情報を画像表示装置側に送信することで、例えば単体の情報伝送手段を介してフレーム毎の処理済み画像情報を順次、画像表示装置側に送信する構成と比較して、画像表示装置による表示画像のフレームレートを向上させることができ、画像表示装置による表示画像のフレームレートを動画自体のフレームレートに合わせて滑らかに表示できる。
また、情報送信制御部は、複数フレームの処理済み画像情報をフレーム毎に分割して複数の分割情報を生成するので、複数の分割情報を生成する処理構造を簡単な構成で実現でき、情報送信制御部の処理構造の簡素化が図れる。
【００１２】
本発明の画像表示システムでは、前記情報送信制御部は、前記処理済み画像情報を表示領域上の所定の領域毎に分割して前記複数の分割情報を生成することが好ましい。
本発明によれば、情報送信制御部は、処理済み画像情報を表示領域上の所定の領域毎に分割して複数の分割情報を生成するので、各分割情報を複数の情報送信部にそれぞれ割り当てて、複数の情報伝送手段を介して並列に各分割情報を画像表示装置側に送信できる。そして、画像表示装置側では、画像情報生成部が情報記憶部の複数の記憶領域にそれぞれ記憶された各分割情報を組み合わせて処理済み画像情報を生成することで、処理済み画像情報に基づく画像を表示できる。
【００１３】
本発明の画像表示システムでは、前記情報送信制御部は、前記複数の情報伝送手段の規格に応じた各伝送速度に基づいて、前記処理済み画像情報を表示領域上の所定の領域毎に分割して前記複数の分割情報を生成することが好ましい。
ところで、処理済み画像情報を表示領域上の所定の領域毎に分割した複数の分割情報を複数の情報伝送手段を介して並列に画像表示装置側に送信する場合には、複数の情報伝送手段を介した各分割情報の各転送時間を同一にすることが好ましい。例えば、複数の情報伝送手段のうちいずれかの情報伝送手段の伝送速度が他の情報伝送手段の伝送速度よりも大きい場合には、複数の分割情報のうち前記いずれかの情報伝送手段を介して送信したいずれかの分割情報の転送時間が、他の情報伝送手段を介して送信した他の分割情報の転送時間よりも小さくなりやすい。そして、画像表示装置側では、各分割情報のうち前記いずれかの分割情報と前記他の分割情報とで記憶されるタイミングが異なることとなり、前記他の分割情報が記憶された後に、各記憶領域から各分割情報を読み出して画像情報を生成し、表示部に画像を表示させることとなる。したがって、上述したように、複数の情報伝送手段の規格に応じた各伝送速度が異なっている場合には、伝送速度の小さい低速な情報伝送手段を介した分割情報の伝送時間を考慮して、伝送速度の大きい高速な情報伝送手段を介して分割情報を送信する必要があり、すなわち、高速な情報伝送手段の利用時間が短くなり（停止している状態が長くなり）、複数の情報伝送手段の各性能を十分に活かすことができない。
【００１４】
本発明によれば、情報送信制御部は、複数の情報伝送手段の規格に応じた各伝送速度に基づいて、処理済み画像情報を表示領域上の所定の領域毎に分割して複数の分割情報を生成する。このことにより、複数の情報伝送手段の規格に応じた各伝送速度が異なっている場合であっても、例えば、各伝送速度の比率で処理済み画像情報を領域毎に分割して複数の分割情報を生成する。そして、各情報伝送手段に対応する各情報送信部にそれぞれ割り当てて各情報伝送手段を介して画像表示装置側に送信すれば、各情報伝送手段を介した各分割情報の各転送時間を同一にすることができる。したがって、複数の情報伝送手段の規格に応じた各伝送速度が異なっている場合であっても、伝送速度の小さい低速な情報伝送手段に対して伝送速度の大きい高速な情報伝送手段の利用時間を短くすることなく、各情報伝送手段の利用時間を同一にし、複数の情報伝送手段の各性能を十分に活かすことができる。
【００１５】
本発明の画像表示システムでは、前記情報処理装置は、処理装置側表示部を駆動制御し、前記処理装置側表示部に表示領域上で領域毎に異なる画像を表示させる処理装置側表示制御部と、前記処理装置側表示部の前記表示領域上に表示された画像に関する表示画像情報を取得する表示画像取得部とを備え、前記画像処理部は、前記表示画像取得部にて取得された前記表示画像情報に所定の画像処理を施し、前記情報送信制御部は、前記画像処理部にて画像処理が施された処理済み表示画像情報を、前記処理装置側表示制御部にて前記処理装置側表示部に異なる画像を表示させている前記領域毎に分割して前記複数の分割情報を生成することが好ましい。
ところで、情報処理装置として、処理装置側表示部に表示領域上で領域毎に異なる画像を表示させる構成、所謂マルチウィンドウシステムを採用した場合には、特定領域（ウィンドウ）では、頻繁に画像が変化する可能性が高く、特定領域以外の領域である、例えば、背景画像を表示させている背景領域では、頻繁に画像が変化する可能性が低い。
【００１６】
本発明では、情報処理装置は、処理装置側表示制御部を備え、マルチウィンドウシステムで構成されている。また、情報処理装置は、処理装置側表示部の表示領域上に表示された画像に関する表示画像情報を取得し、表示画像情報に対して所定の画像処理を施した後、処理済み表示画像情報を画像表示装置側に送信して、画像表示装置側に処理済み表示画像情報に基づく画像（処理装置側表示部の表示領域上に表示された画像）を表示させる。ここで、情報送信制御部は、処理済み表示画像情報を、処理装置側表示制御部にて処理装置側表示部に異なる画像を表示させている領域毎に分割して複数の分割情報を生成する。このことにより、例えば、以下のように複数の分割情報を送信することが可能となる。
例えば、情報送信制御部は、複数の情報伝送手段のうち他の情報伝送手段に比較して伝送速度の大きい情報伝送手段に対応する情報送信部に、特定領域（ウィンドウ）に対応する分割情報を割り当てる。また、情報送信制御部は、伝送速度の小さい情報伝送手段に対応する情報送信部に、背景領域に対応する分割情報を割り当てる。そして、情報送信制御部は、各情報伝送手段を介して並列に各分割情報を画像表示装置側に送信する。
このような構成によれば、画像表示装置側にて、頻繁に画像が変化する可能性が高い特定領域に対応する分割情報に基づく画像を、頻繁に画像が変化する可能性が低い背景領域に対応する分割情報に基づく画像に対して、短い周期で更新することが可能となる。したがって、複数の情報伝送手段の性能を適切に利用して、画像表示装置側に、処理装置側表示部の表示領域上に表示された画像を良好に表示させることができる。
【００１７】
本発明の画像表示システムでは、前記情報送信制御部は、前記処理済み画像情報に含まれる画素毎のビットで表される色調データを、所定のビット長で分割して前記複数の分割情報を生成することが好ましい。
ところで、情報処理装置として例えばＰＣを採用した場合には、ＰＣのグラフィック処理機能により、画像情報に対して所定の画像処理、例えば、色調補正処理を実施することで、例えば、元々画素毎に８ビット精度であった色調データを画素毎に１０ビット以上の精度を有する色調データに変換することができる。すなわち、このような高精度の色調データを含む処理済み画像情報を画像表示装置側に送信して表示させることで、高精細な画像を表示させることができる。しかしながら、色調データのビット数が増大するため、情報伝送手段を介して画像表示装置側に送信する処理済み画像情報のデータ量が大きくなり、伝送を円滑に実施することが難しい。
【００１８】
本発明によれば、情報送信制御部は、処理済み画像情報に含まれる画素毎の色調データを、所定のビット長で分割して複数の分割情報を生成するので、各分割情報を複数の情報送信部に割り当てて、複数の情報伝送手段を介して並列に各分割情報を画像表示装置側に送信できる。そして、画像表示装置側では、画像情報生成部が情報記憶部の複数の記憶領域に記憶された各分割情報を読み出して処理済み画像情報を生成することで、処理済み画像情報に基づく画像を表示できる。すなわち、送信する各情報（分割情報）のデータ量を削減して情報の伝送を円滑に実施でき、画像表示装置側にて高精細な画像を表示できる。
また、例えば、情報送信制御部が、色調データにおいて、画素の色情報を決定する際に重要な要素となる最上位から数ビット長（例えば、８ビット長）の主要部分精度データと、他のビット長の少なくとも１つの詳細部分精度データとに分割して複数の分割情報を生成する。そして、複数の情報伝送手段のうちいずれかの情報伝送手段を介して最低限必要な主要部分精度データを画像表示装置側に送信し、画像表示装置側に最低限必要な精度で画像を表示させる。また、他の情報伝送手段を適宜、用いることで前記他の情報伝送手段を介して少なくとも１つの詳細部分精度データを画像表示装置側に送信し、画像表示装置側に主要部分制度データおよび少なくとも１つの詳細部分精度データに基づいて、より高精細な画像を表示させる。このような構成であれば、利用者に用いる情報伝送手段を適宜、選択させることで、利用者の用途に合わせて画像表示装置側にて表示させる画像の精度を変更でき、画像表示システムの利便性の向上が図れる。
【００１９】
本発明の画像表示システムでは、前記情報送信制御部は、前記複数の情報伝送手段の規格に応じた各伝送速度に基づいて、前記複数の分割情報を前記複数の情報送信部にそれぞれ割り当てて送信させることが好ましい。
本発明によれば、情報送信制御部が複数の情報伝送手段の規格に応じた各伝送速度に基づいて複数の分割情報を複数の情報送信部にそれぞれ割り当てて送信させるので、例えば、データ量の多い分割情報を他の情報伝送手段の伝送速度に比較して大きい伝送速度を有する情報伝送手段を介して画像表示装置側に送信し、データ量の少ない分割情報を小さい伝送速度を有する情報伝送手段を介して画像表示装置側に送信することができ、複数の情報伝送手段の規格に応じた各伝送速度が異なっている場合であっても、複数の情報伝送手段の各性能を十分に活かすことができる。
【００２０】
本発明の画像表示システムでは、前記情報処理装置は、複数設けられ、前記複数の情報伝送手段を介して前記画像表示装置に接続し、前記画像情報生成部は、前記複数の情報処理装置から前記複数の情報伝送手段を介して送信された各画像情報を所定の領域に割り当てて表示画像情報を生成し、前記表示装置側表示制御部は、前記画像情報生成部にて生成された表示画像情報に基づく画像を表示装置側表示部に表示させることが好ましい。
本発明によれば、複数の情報処理装置からそれぞれ送信された各画像情報に基づく各画像を表示装置側表示部における表示領域上の所定領域にそれぞれ表示させることができるので、様々な表示形態で表示させることができ、画像表示システムの利便性の向上が図れる。
【００２１】
本発明の画像表示方法は、画像情報を処理する情報処理装置と、前記情報処理装置にて処理された前記画像情報に基づく画像を表示する画像表示装置と、前記情報処理装置および前記画像表示装置間を情報の送受信可能に接続する複数の情報伝送手段とを備えた画像表示システムを利用した画像表示方法であって、前記情報処理装置は、前記画像情報に所定の画像処理を施す画像処理ステップと、画像処理を施した処理済み画像情報を分割して複数の分割情報を生成する情報分割ステップと、前記複数の分割情報を前記複数の情報伝送手段にそれぞれ割り当てて前記画像表示装置に送信する送信ステップとを実行し、前記画像表示装置は、前記複数の情報伝送手段を介して前記複数の分割情報を受信する受信ステップと、受信した前記複数の分割情報を複数の記憶領域のうち前記情報伝送手段に対応した記憶領域にそれぞれ記憶する情報記憶ステップと、前記複数の記憶領域にそれぞれ記憶された前記複数の分割情報を読み出して、前記処理済み画像情報を生成する画像生成ステップと、生成した処理済み画像情報に基づく画像を表示する画像表示ステップとを実行することを特徴とする。
上述した本発明の画像表示方法は、上述した画像表示システムによって実施されるものであるので、上述した画像表示システムと同様の作用・効果を享受できる。
【００２２】
本発明の情報処理装置は、画像情報に処理を施し、複数の情報伝送手段を介して処理を施した処理済み画像情報を画像表示装置に送信する情報処理装置であって、前記複数の情報伝達手段に対応して複数で構成され、前記複数の情報伝送手段を介して前記画像表示装置に情報を送信する情報送信部と、前記画像情報に所定の画像処理を施す画像処理部と、前記画像処理部にて画像処理が施された処理済み画像情報を分割して複数の分割情報を生成し、前記複数の分割情報を前記複数の情報送信部に割り当てて送信させる情報送信制御部とを備えていることを特徴とする。
上述した本発明の情報処理装置では、上述した画像表示システムに好適な情報処理装置とすることができる。
【００２３】
本発明の制御プログラムは、画像情報に処理を施し、複数の情報伝送手段を介して処理を施した処理済み画像情報を画像表示装置に送信する情報処理装置の制御プログラムであって、前記情報処理装置に組み込まれたコンピュータに、前記画像情報に所定の画像処理を施す画像処理ステップと、画像処理を施した処理済み画像情報を分割して複数の分割情報を生成する情報分割ステップと、前記複数の分割情報を前記複数の情報伝送手段にそれぞれ割り当てて前記画像表示装置に送信する送信ステップとを実行させることを特徴とする。
【００２４】
本発明の記録媒体は、上述した制御プログラムがコンピュータに読取可能に記録されていることを特徴とする。
【００２５】
以上のような構成の制御プログラムおよび記録媒体は、上述した画像表示方法を実施するために利用されるので、上述した画像表示方法と同様の作用・効果を享受できる。
【００２６】
本発明の画像表示装置は、画像情報に処理を施し、処理を施した処理済み画像情報を複数の分割情報に分割して複数の情報伝送手段を介してそれぞれ送信する情報処理装置と前記複数の情報伝送手段を介して接続される画像表示装置であって、前記複数の情報伝送手段に対応して複数で構成され、前記複数の情報伝送手段を介して前記情報処理装置から送信された前記複数の分割情報を受信する情報受信部と、前記複数の情報受信部に対応して複数の記憶領域を有し、前記複数の情報受信部にて受信した前記複数の分割情報を前記情報受信部に対応した記憶領域にそれぞれ記憶する情報記憶部と、前記情報記憶部の複数の記憶領域にそれぞれ記憶された前記複数の分割情報を読み出して、前記処理済み画像情報を生成する画像情報生成部と、前記画像情報生成部にて生成された処理済み画像情報に基づく画像を表示装置側表示部に表示させる表示装置側表示制御部とを備えていることを特徴とする。
上述した本発明の画像表示装置では、上述した画像表示システムに好適な画像表示装置とすることができる。
【００２７】
本発明の制御プログラムは、画像情報に処理を施し、処理を施した処理済み画像情報を複数の分割情報に分割して複数の情報伝送手段を介してそれぞれ送信する情報処理装置と前記複数の情報伝送手段を介して接続される画像表示装置の制御プログラムであって、前記画像表示装置に組み込まれたコンピュータに、前記複数の情報伝送手段を介して前記複数の分割情報を受信する受信ステップと、受信した前記複数の分割情報を複数の記憶領域のうち前記情報伝送手段に対応した記憶領域にそれぞれ記憶する情報記憶ステップと、前記複数の記憶領域にそれぞれ記憶された前記複数の分割情報を読み出して、前記処理済み画像情報を生成する画像生成ステップと、生成した画像情報に基づく画像を表示する画像表示ステップとを実行させることを特徴とする。
【００２８】
本発明の記録媒体は、上述した制御プログラムがコンピュータに読取可能に記録されていることを特徴とする。
【００２９】
以上のような構成の制御プログラムおよび記録媒体は、上述した画像表示方法を実施するために利用されるので、上述した画像表示方法と同様の作用・効果を享受できる。
【発明を実施するための最良の形態】
【００３０】
[第１実施形態]
以下、本発明の実施の一形態を図面に基づいて説明する。
〔プロジェクションシステムの構成〕
図１は、画像表示システムとしてのプロジェクションシステム１の外観図である。
プロジェクションシステム１は、図１に示すように、映像ソースの画像に所定の画像処理を行ったうえで画像データ信号を出力する情報処理装置としてのＰＣ２と、ＰＣ２からの画像データ信号に基づいて現画像フレームを生成してスクリーンＳｃに向けて投射するプロジェクタ３と、ＰＣ２およびプロジェクタ３間をデータの送受信可能に接続する情報伝送手段４とを備える。
【００３１】
〔情報伝送手段の構成〕
情報伝送手段４は、デジタル信号を伝送可能とする信号伝送路を有するものである。すなわち、情報伝送手段４としては、デジタル信号を伝送可能とするものであれば、いずれの構成でも採用でき、例えば、ＵＳＢケーブル、ＬＡＮ(Local Area Network)ケーブル等の有線でデジタル信号を伝送する各規格の他、無線媒体（電波、音、赤外線等）を介してデジタル信号を伝送する規格も含むものである。そして、情報伝送手段４は、本実施形態では、図１に示すように、有線でデジタル信号を伝送するＵＳＢケーブルやＬＡＮケーブル等の情報伝送手段４Ａ，４Ｂの２つで構成されている。なお、情報伝送手段４は、複数で構成されていれば２つに限らない。また、複数の情報伝送手段４の各規格としては、特に限定されず、同一の規格とする構成としてもよいし、異なる規格とする構成としても構わない。
【００３２】
〔ＰＣの構成〕
図２は、ＰＣ２の概略構成を示すブロック図である。
ＰＣ２は、図２に示すように、操作部２１と、表示部２２と、制御装置２３とで大略構成されている。
操作部２１は、例えば、キーボードおよびマウス等で入力操作される各種操作ボタンを有している。この操作ボタンの入力操作を実施することにより、制御装置２３を適宜動作させるとともに、例えば、表示部２２に表示される情報に対して、制御装置２３の動作内容の設定等が実施される。そして、利用者による操作部２１の入力操作により、操作部２１から適宜所定の操作信号を制御装置２３に出力する。
なお、この操作部２１としては、操作ボタンの入力操作に限らず、例えば、タッチパネルによる入力操作や、音声による入力操作等により、各種条件を設定入力する構成としてもできる。
【００３３】
表示部２２は、制御装置２３に制御され、所定の情報を表示する。例えば、制御装置２３にて処理された情報の表示、または、操作部２１の入力操作により、制御装置２３の後述するメモリに格納する情報を設定入力または更新する際、制御装置２３から出力されるメモリ内のデータを適宜表示させる。この表示部２２は、例えば、液晶や有機ＥＬ(Electroluminescence)、ＰＤＰ(Plasma Display Panel)、ＣＲＴ(Cathode-Ray Tube)等が用いられる。
【００３４】
制御装置２３は、操作部２１からの操作信号の入力に応じて、所定のプログラムを実行し、ＰＣ２全体を制御する。この制御装置２３は、図２に示すように、送受信部２３１と、メインメモリ２３２と、補助メモリ２３３と、画像補正パラメータ記憶部２３４と、画像処理部２３５と、制御部本体２３６等を備える。これら各構成要素２３１〜２３６は、図示しないバスにより接続され、必要な情報が伝送可能に構成されている。
【００３５】
送受信部２３１は、種々の情報伝送手段４に対応した規格（例えば、情報伝送手段４がＵＳＢケーブルであれば、ＵＳＢ規格）でデータの送受信を実施する部分である。すなわち、送受信部２３１は、図２に示すように、種々の情報伝送手段４に対応し、情報伝送手段４に対応した規格でデータの送受信を実施する情報送信部としての複数（本実施形態では情報伝送手段４が２つで構成されているため２つ）のデータ変換回路２３１１，２３１２等を備えている。
なお、本実施形態では、図２に示すように、情報伝送手段４Ａを介してデータの送受信を実施するデータ変換回路を第１データ変換回路２３１１とし、情報伝送手段４Ｂを介してデータの送受信を実施するデータ変換回路を第２データ変換回路２３１２とする。
【００３６】
メインメモリ２３２は、各種データを記憶する。各種データとしては、例えば、操作部２１から出力された操作信号、送受信部２３１を介して入力したデータ、画像処理部２３５および制御部本体２３６等で処理するためのデータ等がある。
補助メモリ２３３としては映像ソースのメディアが利用され、例えば、デジタルデータとして映像と音声とを記録したＤＶＤ(Digital Versatile Disc)等が例示できる。
画像補正パラメータ記憶部２３４は、プロジェクタ３の特性に応じた画像補正のための補正パラメータを記憶している。
画像補正パラメータ記憶部２３４に記憶される補正パラメータとしては、例えば、台形補正、輝度ムラ、色ムラ、γ補正等のための各種補正パラメータが例示できる。
【００３７】
なお、これらの補正パラメータ記録したメモリカードやＣＤ−ＲＯＭをＰＣ２に挿入して、画像補正パラメータ記憶部２３４に補正パラメータをインストールしてもよい。または、ＰＣ２が情報伝送手段４を介して所定の補正パラメータをプロジェクタ３から読み取って画像補正パラメータ記憶部２３４に記憶してもよい。
【００３８】
画像処理部２３５は、例えば、ＧＰＵ(Graphics Processor Unit)等を含んで構成され、画像データに対して上述した補正パラメータを用いて画像処理を実施する部分である。この画像処理部２３５は、図２に示すように、画像生成部２３５１と、画像補正演算処理部２３５２等を備える。
画像生成部２３５１は、補助メモリ２３３からの映像ソースに対して記録方式に応じた解凍を行ってフレーム毎に画像データを復号する。例えば、復号することで各画素に対して８ビットの色情報（色調データ）が与えられている画像データ（画像情報）が得られる。そして、画像生成部２３５１は、復号した画像データを画像補正演算処理部２３５２に出力する。
【００３９】
画像補正演算処理部２３５２は、図２に示すように、形状変換処理部２３５２Ａと、色調補正処理部２３５３Ｂとを備える。
形状変換処理部２３５２Ａは、画像生成部２３５１により復号された画像データに対して形状変換処理、すなわち、台形補正、スクリーンＳｃが曲面である場合にスクリーンＳｃの形状に応じて行う補正、プロジェクタ３に内蔵されたレンズに起因する歪みの補正等を実施する。そして、形状変換処理部２３５２Ａは、形状変換処理を施した画像データを色調補正処理部２３５３Ｂに出力する。
【００４０】
色調補正処理部２３５３Ｂは、形状変換処理部２３５２Ａから出力された画像データに対して、プロジェクタ３の色特性に応じた画像データの色調データを変換補正（色調補正処理）する。色調補正処理としては、例えば、色変換、γ補正、ＶＴ−γ補正、色ムラ補正等が例示できる。例えば、色調補正処理を施すことで、当初は８ビットであった色調データを１０ビット以上の精度に補正することが例として挙げられる。そして、色調補正処理部２３５３Ｂは、上述した画像処理（形状変換処理および色調補正処理）が施された処理済み画像データを例えばメインメモリ２３２等に記憶させる。なお、記憶される処理済み画像データとしては、最新の数フレーム分で十分であり、古くなったものは順次消去していく。
【００４１】
制御部本体２３６は、例えば、ＣＰＵ(Central Processing Unit)等を含んで構成され、メインメモリ２３２等に記憶された所定のプログラムにしたがって、ＰＣ２全体を制御する部分である。なお、以下では、制御部本体２３６の機能のうち、情報伝送手段４を介して画像データをプロジェクタ３側に送信する際の処理機能を主に説明し、その他の機能については説明を省略する。この制御部本体２３６は、図２に示すように、情報送信制御部２３６１等を備える。
【００４２】
情報送信制御部２３６１は、送受信部２３１を駆動制御して、情報伝送手段４を介して画像データをプロジェクタ側に送信させる。この情報送信制御部２３６１は、図２に示すように、情報時間分割部２３６２と、送信割当部２３６３とを備える。
情報時間分割部２３６２は、予め例えばメインメモリ２３２等に記憶された用いる情報伝送手段４の数、および各情報伝送手段４の規格に応じた各伝送速度に関する情報に基づいて、メインメモリ２３２に記憶された数フレームの処理済み画像データを時間方向、すなわち、フレーム毎に分割して複数の分割データ（フレーム毎の処理済み画像データ）を生成する。
送信割当部２３６３は、情報時間分割部２３６２にて生成された各分割データを、予め例えばメインメモリ２３２等に記憶された用いる情報伝送手段４の数、および各情報伝送手段４の規格に応じた伝送速度に関する情報に基づいて、送受信部２３１の各データ変換回路２３１１，２３１２に割り当てて所定のタイミングで各情報伝送手段４を介してプロジェクタ３に送信させる。
なお、上述した用いる情報伝送手段４の数に関する情報としては、予め例えばメインメモリ２３２等に記憶しておく構成に限らず、操作部２１を操作することにより設定入力可能に構成してもよく、あるいは、ＵＳＢケーブルやＬＡＮケーブル等の有線にてプロジェクタ３側に情報を送信する場合には接続されているケーブルの数を制御部本体２３６が検出して認識する構成としても構わない。
【００４３】
〔プロジェクタの構成〕
図３は、プロジェクタ３の概略構成を示すブロック図である。
プロジェクタ３は、図３に示すように、表示部としての画像投射部３１と、制御装置３２とで大略構成されている。
画像投射部３１は、制御装置３２による制御の下、光学像を形成してスクリーンＳｃに拡大投射する。この画像投射部３１は、図３に示すように、光源装置３１１と、光変調素子としての液晶ライトバルブ３１２と、投射光学装置３１３等を備える。
光源装置３１１は、制御装置３２による制御の下、光束を液晶ライトバルブ３１２に向けて射出する。この光源装置３１１は、光源ランプ３１１１と、ランプドライバ３１１２とを備える。
【００４４】
光源ランプ３１１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ素子、シリコン発光素子等の各種自己発光素子を採用してもよい。
ランプドライバ３１１２は、制御装置３２による制御の下、所定の駆動電圧で光源ランプ３１１１を駆動する。
【００４５】
液晶ライトバルブ３１２は、透過型の液晶パネルであり、制御装置３２からの駆動信号に基づいて、液晶セル（図示略）に封入された液晶分子の配列を変化させ、光源ランプ３１１１から射出された光束を、透過若しくは遮断することによりＰＣ２にて処理された処理済み画像データに応じた光学像を投射光学装置３１３に射出する。
投射光学装置３１３は、液晶ライトバルブ３１２から射出された光学像をスクリーンＳｃに向けて拡大投射する。
なお、図示は省略したが、プロジェクタ３は、ＲＧＢの３色に対応する３枚の液晶ライトバルブ３１２を備えている。また、光源装置３１１は、光源光を３色の光に分離する色光分離光学系を備えている。さらに、投射光学装置３１３は、３色の画像光を合成してカラー画像を表す光学像を生成する合成光学系を有している。なお、このような光学系の構成については、種々の一般的なプロジェクタの光学系の構成が利用可能である。
【００４６】
制御装置３２は、ＰＣ２側からの制御指令にしたがって、プロジェクタ３全体を制御する。この制御装置３２は、図３に示すように、送受信部３２１と、画像補正パラメータ記憶部３２２と、情報記憶部３２３と、制御部本体３２４等を備える。これら各構成要素３２１〜３２４は、図示しないバスにより接続され、必要な情報が伝送可能に構成されている。
送受信部３２１は、ＰＣ２の送受信部２３１と同様のものであり、種々の情報伝送手段４に対応した規格（例えば、情報伝送手段４がＵＳＢケーブルであれば、ＵＳＢ規格）でデータの送受信を実施する部分である。すなわち、送受信部３２１も、ＰＣ２の送受信部２３１と同様に、図３に示すように、種々の情報伝送手段４に対応し、情報伝送手段４に対応した規格でデータの送受信を実施する情報受信部としての複数（本実施形態では情報伝送手段４が２つで構成されているため２つ）のデータ変換回路３２１１，３２１２等を備えている。
なお、本実施形態では、図３に示すように、情報伝送手段４Ａを介してデータの送受信を実施するデータ変換回路を第１データ変換回路３２１１とし、情報伝送手段４Ｂを介してデータの送受信を実施するデータ変換回路を第２データ変換回路３２１２とする。
【００４７】
画像補正パラメータ記憶部３２２は、プロジェクタ３の特性に応じた画像補正のための補正パラメータを記憶しており、補正パラメータとしては、例えば、台形補正、輝度ムラ、色ムラ、γ補正等のための各種パラメータが例示できる。
【００４８】
情報記憶部３２３は、送受信部３２１を構成するデータ変換回路３２１１，３２１２に対応して複数（本実施形態ではデータ変換回路が２つで構成されているため２つ）の記憶部３２３１，３２３２で構成され、送受信部３２１（データ変換回路）にて受信したＰＣ２からの分割データをデータ変換回路３２１１，３２１２に対応した記憶部３２３１，３２３２に順次記憶する。
なお、本実施形態では、図３に示すように、第１データ変換回路３２１１にて受信したデータを記憶する記憶部を第１記憶部３２３１とし、第２データ変換回路３２１２にて受信したデータを記憶する記憶部を第２記憶部３２３２とする。
これら記憶部３２３１，３２３２としては、例えば、ＶＲＡＭ(Video Random Access Memory)等を採用できる。
なお、情報記憶部３２３としては、複数の記憶部３２３１，３２３２で構成する他、単体の記憶部で送受信部３２１を構成するデータ変換回路に対応して複数の記憶領域を有する構成としても構わない。
【００４９】
制御部本体３２４は、例えば、ＣＰＵ等を含んで構成され、ＰＣ２側からの制御指令や図示しないメモリに記憶されたプログラムにしたがって、プロジェクタ３全体を制御する部分である。この制御部本体３２４は、図３に示すように、画像情報生成部３２４１と、表示制御部としての液晶パネル駆動制御部３２４２等を備える。
画像情報生成部３２４１は、各記憶部３２３１，３２３２に順次記憶される分割データ（フレーム毎の処理済み画像データ）を所定のタイミングで交互に読み出して、読み出した分割データを液晶パネル駆動制御部３２４２に出力する。すなわち、画像情報生成部３２４１は、各記憶部３２３１，３２３２に順次記憶される分割データを所定のタイミングで交互に読み出すことで、分割データを所定の順序で組み合わせて出力する。
【００５０】
液晶パネル駆動制御部３２４２は、画像情報生成部３２４１から出力される分割データに基づく駆動信号を液晶ライトバルブ３１２に出力し、液晶ライトバルブ３１２に処理済み画像データに基づく光学像を形成させる。
【００５１】
〔プロジェクションシステムの動作〕
次に、上述したプロジェクションシステム１の動作について図面を参照して説明する。
図４は、プロジェクションシステム１の動作を説明するフローチャートである。具体的に、図４は、映像ソース（例えば、動画）をプロジェクタ３にて投射（表示）するまでの動作を説明するフローチャートである。
なお、以下では、ＰＣ２およびプロジェクタ３間が予め２つの情報伝送手段４Ａ，４Ｂにて接続されているものとする。
先ず、ＰＣ２の制御部本体２３６は、例えば、利用者による操作部２１の操作により、所定のプログラムにしたがって、所定の制御指令を画像処理部２３５に出力する。
【００５２】
画像処理部２３５は、制御部本体２３６からの制御指令にしたがって、補助メモリ２３３から映像ソースを読み込み、映像ソースに対してデコードやＩＰ変換等を行って画像データを生成する（ステップＳ１）。
ステップＳ１の後、画像処理部２３５は、生成した画像データに対して形状変換処理や色調変換処理を施す（ステップＳ２：画像処理ステップ）。そして、画像処理部２３５は、形状変換処理および色調補正処理を施した処理済み画像データを例えばメインメモリ２３２等に順次記憶する。
【００５３】
ステップＳ２の後、制御部本体２３６は、メインメモリ２３２に記憶された数フレームの処理済み画像データをフレーム毎に順次分割して複数の分割データを生成する（ステップＳ３：情報分割ステップ）。
ステップＳ３の後、制御部本体２３６は、例えばメインメモリ２３２等に記憶された用いる情報伝送手段４の数（本実施形態では２つ）、および各情報伝送手段４の規格に応じた伝送速度に関する情報に基づいて、生成した複数の分割データを送受信部２３１の各データ変換回路２３１１，２３１２に割り当てて所定のタイミングで各情報伝送手段４を介してプロジェクタ３に順次送信させる（ステップＳ４：送信ステップ）。
【００５４】
ステップＳ４の後、プロジェクタ３は、各情報伝送手段４に対応する送受信部３２１の各データ変換回路３２１１，３２１２にて順次受信し、制御部本体３２４にて読取可能なデータに変換して出力する（ステップＳ５：受信ステップ）。
ステップＳ５の後、各データ変換回路３２１１，３２１２に対応する情報記憶部３２３の各記憶部３２３１，３２３２は、受信した各分割データを順次記憶する（ステップＳ６：情報記憶ステップ）。
【００５５】
ステップＳ６の後、画像情報生成部３２４１は、各記憶部３２３１，３２３２に順次記憶される分割データ（フレーム毎の処理済み画像データ）を所定のタイミングで交互に読み出して、該分割データを例えば動画の再生順序で組み合わせて液晶パネル駆動制御部３２４２に順次出力する（ステップＳ７：画像生成ステップ）。
ステップＳ７の後、液晶パネル駆動制御部３２４２は、画像情報生成部３２４１から順次出力される分割データに基づく駆動信号を液晶ライトバルブ３１２に順次出力し、液晶ライトバルブ３１２に処理済み画像データに基づく光学像を順次形成させる（ステップＳ８：画像表示ステップ）。
以上のようなステップＳ１〜Ｓ８により、スクリーンＳｃ上に例えば動画が表示される。
【００５６】
上述した第１実施形態によれば、以下の効果がある。
図５は、第１実施形態の効果を説明するための図である。具体的に、図５は、横軸に時間をとり、フレーム毎の処理済み画像データＤの転送時間、および、プロジェクタによる表示画像（投影画像）のフレームレートを示している。
ところで、情報伝送手段を単体で構成し、単体の情報伝送手段を介してフレーム毎の処理済み画像データを順次、プロジェクタ側に送信する構成とした場合には、プロジェクタによる表示画像のフレームレートは、図５（Ａ）に示すようになる。具体的には、図５（Ａ）に示すように、ＰＣ側からプロジェクタへのフレーム毎の処理済み画像データＤの送信が終了する毎に、プロジェクタは、内部の記憶部にフレーム毎の処理済み画像データＤを記憶し、記憶部に記憶されたフレーム毎の処理済み画像データＤを適宜、読み出して液晶ライトバルブにフレーム毎の処理済み画像データＤに基づく光学像を形成させ、画像を表示する。ここで、記憶部への処理済み画像データＤの書き込み、および液晶ライトバルブの駆動に掛かる時間は、処理済み画像データＤの転送時間に比較して十分小さいため、プロジェクタは、図５（Ａ）に示すように、フレーム毎の処理済み画像データＤの送信の終了後のタイミングＴで、画像を表示することとなる。すなわち、上述した構成では、プロジェクタによる表示画像のフレームレート（表示タイミングＴ）が単体の情報伝送手段の伝送速度に制限されてしまう。特に、プロジェクタに動画を表示させる場合には、動画自体のフレームレートに合わせることができず、観賞者に不快感を与えてしまう。
【００５７】
本実施形態では、情報伝送手段４が情報伝送手段４Ａ，４Ｂの２つで構成される。また、ＰＣ２の情報送信制御部２３６１は、複数フレームの処理済み画像データをフレーム毎に分割して複数の分割データ（フレーム毎の処理済み画像データ）を生成し、各分割データを送受信部２３１の各データ変換回路２３１１，２３１２に割り当てて、各情報伝送手段４Ａ，４Ｂを介して並列に各分割データをプロジェクタ３側に送信する。
例えば、情報伝送手段４Ａ，４Ｂの規格に応じた各伝送速度が同一である場合には、図５（Ｂ）に示すように、情報送信制御部２３６１が各データ変換回路２３１１，２３１２にフレーム毎の処理済み画像データＤを所定のタイミングで交互に送信させる。そして、プロジェクタ３は、図５（Ｂ）に示すように、各情報伝送手段４Ａ，４Ｂを介して送信され各記憶部３２３１，３２３２に順次記憶される各処理済み画像データＤを画像情報生成部３２４１が交互に読み出して所定の順序に組み合わせ、液晶パネル駆動制御部３２４２が液晶ライトバルブ３１２にフレーム毎の処理済み画像データＤに基づく光学像を形成させ、画像を表示する。このことにより、プロジェクタ３に動画を表示させる場合であっても、プロジェクタ３による表示画像のフレームレート（表示タイミングＴ）は、単体の情報伝送手段の伝送速度に制限されることなく、図５（Ａ）に示すプロジェクタ３による表示画像のフレームレートに比較して、より高いフレームレートを実現でき、動画自体のフレームレートに合わせて滑らかに表示できる。
【００５８】
また、例えば、情報伝送手段４Ａ，４Ｂの規格に応じた各伝送速度が異なる場合、すなわち、情報伝送手段４Ａの伝送速度が情報伝送手段４Ｂの伝送速度に対して小さい場合には、プロジェクタ３による表示画像のフレームレート（表示タイミングＴ）は、図５（Ｃ）に示すようになる。具体的に、情報送信制御部２３６１は、図５（Ｃ）に示すように、情報伝送手段４Ａに対応するデータ変換回路２３１１に処理済み画像データＤの送信の後、直ぐに次の処理済み画像データＤを送信させ、情報伝送手段４Ｂに対応するデータ変換回路２３１２に処理済み画像データＤの送信の後、所定間隔を空けて次の処理済み画像データＤを送信させる。すなわち、伝送速度の大きい高速な情報伝送手段４Ｂの利用時間が短くなり（停止している状態が長くなり）高速な情報伝送手段４Ｂの性能を十分に活かすことができないが、この場合であっても、図５（Ｂ）に示す例と同様に、図５（Ａ）に示すプロジェクタ３による表示画像のフレームレートに比較して、より高いフレームレートを実現できる。
【００５９】
また、プロジェクタ３は、受信した複数の分割データに基づいてＰＣ２側にて画像処理が施された処理済み画像データを生成し、処理済み画像データに基づく画像を表示するので、従来のように解像度を落としたりデータを圧縮して送信する構成と比較して、ＰＣ２にて画像処理が施された高精細な画像を表示できる。
さらに、情報送信制御部２３６１は、複数フレームの処理済み画像データをフレーム毎に分割して複数の分割データを生成しているので、複数の分割データの生成を簡単な処理構造で実現できる。
【００６０】
[第２実施形態]
次に、本発明の第２実施形態を図面に基づいて説明する。
なお、以下の説明では、既に説明した部分と同一の部分については、同一符号を付してその説明を省略する。
図６は、第２実施形態におけるＰＣ２Ａの概略構成を示すブロック図である。
前記第１実施形態では、ＰＣ２を構成する制御部本体２３６の情報送信制御部２３６１は、数フレームの処理済み画像データを時間方向、すなわち、フレーム毎に分割して複数の分割データ（フレーム毎の処理済み画像データ）を生成している。
これに対して第２実施形態では、ＰＣ２Ａを構成する制御部本体２３６Ａの情報送信制御部２３６１Ａは、１フレーム分の処理済み画像データを空間で分割して複数の分割データを生成する。すなわち、本実施形態では、前記第１実施形態に対して、ＰＣ２の情報送信制御部２３６１Ａの処理構造が主に異なるのみであり、その他の構成は前記第１実施形態と同様のものである。
【００６１】
情報送信制御部２３６１Ａは、図６に示すように、情報空間分割部２３６２Ａと、送信割当部２３６３Ａとを備える。
情報空間分割部２３６２Ａは、予め例えばメインメモリ２３２等に記憶された用いる情報伝送手段４の数、および各情報伝送手段４の規格に応じた各伝送速度に関する情報に基づいて、メインメモリ２３２に記憶された１フレームの処理済み画像データ（画像情報）を空間（領域）で分割して複数の分割データを生成する。
なお、上述した用いる情報伝送手段４の数に関する情報としては、予め例えばメインメモリ２３２等に記憶しておく構成に限らず、操作部２１を操作することにより設定入力可能に構成してもよく、あるいは、ＵＳＢケーブルやＬＡＮケーブル等の有線にてプロジェクタ３側に情報を送信する場合には接続されているケーブルの数を制御部本体２３６Ｂが検出して認識する構成としても構わない。
【００６２】
図７は、情報空間分割部２３６２Ａによる分割データの生成方法の一例を示す図である。具体的に、図７は、１フレームの処理済み画像データに基づく画像を示す図である。
より具体的に、情報空間分割部２３６２Ａは、用いる情報伝送手段４の数、および各情報伝送手段４の規格に応じた各伝送速度に関する情報を認識する。そして、情報空間分割部２３６２Ａは、例えば、用いる情報伝送手段４が情報伝送手段４Ａ，４Ｂの２つであり、情報伝送手段４Ａの伝送速度がＶ１であり、情報伝送手段４Ｂの伝送速度が伝送速度Ｖ１よりも小さいＶ２である場合には、以下に示すように、分割データを生成する。
すなわち、情報空間分割部２３６２Ａは、図７に示すように、１フレームの処理済み画像データに基づく画像の全面積をＳ（Ｓ＝Ｓ１＋Ｓ２）とした場合に、１フレームの処理済み画像データを、Ｖ１とＶ２の比率に応じてＳ１の面積の領域を有するデータ、およびＳ２の面積の領域を有するデータに分割し、すなわち、Ｖ１：Ｖ２＝Ｓ１：Ｓ２となるように分割し、前記各データを分割データとして生成する。
【００６３】
図８は、情報空間分割部２３６２Ａにより生成された分割データのデータ構造の一例を示す図である。
情報空間分割部２３６２Ａにより生成される分割データのデータ構造としては、例えば、図８に示すように、ヘッダ領域に書き込み位置および書き込み長に関する情報が記載され、ヘッダ領域の後に各画素に対応する各色調データが付加されたデータ構造を採用できる。
【００６４】
送信割当部２３６３Ａは、情報空間分割部２３６２Ａにて生成された各分割データを、用いる情報伝送手段４の数、および各情報伝送手段４の規格に応じた各伝送速度に関する情報に基づいて、送受信部２３１の各データ変換回路２３１１，２３１２に割り当てて所定のタイミングで各情報伝送手段４を介してプロジェクタ３に送信させる。
より具体的に、送信割当部２３６３Ａは、上述したように、用いる情報伝送手段４が情報伝送手段４Ａ，４Ｂの２つであり、情報伝送手段４Ａの伝送速度がＶ１であり、情報伝送手段４Ｂの伝送速度がＶ２であり、情報空間分割部２３６２ＡにてＳ１の面積の領域を有する第１の分割データおよびＳ２の面積の領域を有する第２の分割データが生成された場合には、第１の分割データを情報伝送手段４Ａに対応する第１データ変換回路２３１１に割り当て、第２の分割データを情報伝送手段４Ｂに対応する第２データ変換回路２３１２に割り当て、所定のタイミングで各情報伝送手段４Ａ，４Ｂを介してプロジェクタ３側に送信させる。
【００６５】
そして、プロジェクタ３の画像情報生成部３２４１は、各記憶部３２３１，３２３２に順次記憶される分割データの例えばヘッダ領域に基づいて、各分割データの書き込み位置を認識し、各分割データを読み出して１フレームの処理済み画像データを生成し、該１フレームの処理済み画像データを液晶パネル駆動制御部３２４２に出力する。液晶パネル駆動制御部３２４２は、画像情報生成部３２４１から出力される処理済み画像データに基づく駆動信号を液晶ライトバルブ３１２に出力し、液晶ライトバルブ３１２に処理済み画像データに基づく光学像を形成させる。
【００６６】
なお、本実施形態におけるプロジェクションシステム１の動作については、上述したように前記第１実施形態に対して情報送信制御部２３６１Ａの処理構造、および画像情報生成部３２４１の処理構造が異なるのみであり、すなわち、前記第１実施形態で説明した図４中のステップＳ３，Ｓ４，Ｓ７の処理が異なるのみである。
【００６７】
上述した第２実施形態においては、前記第１実施形態と略同様の効果の他、以下に示す効果がある。
図９は、第２実施形態の効果を説明するための図である。
本実施形態では、情報送信制御部２３６１Ａは、処理済み画像データを表示領域上の所定の領域毎に分割して複数の分割データを生成するので、各分割データを各データ変換回路２３１１，２３１２に割り当てて、各情報伝送手段４Ａ，４Ｂを介して並列に各分割データをプロジェクタ３側に送信できる。そして、プロジェクタ３側では、画像情報生成部３２４１が各記憶部３２３１，３２３２に順次記憶される分割データを読み出して処理済み画像データを生成することで、処理済み画像データに基づく画像を表示できる。このことにより、各情報伝送手段４Ａ，４Ｂを利用して送信するデータ量を削減し、データの伝送を円滑に実施できる。
【００６８】
ところで、処理済み画像データを表示領域上の所定の領域毎に分割した複数の分割データを各情報伝送手段４Ａ，４Ｂを介してプロジェクタ３側に送信する場合には、各情報伝送手段４Ａ，４Ｂを介した各分割データの各転送時間を同一にすることが好ましい。例えば、各情報伝送手段４Ａ，４Ｂのうち情報伝送手段４Ａの伝送速度Ｖ１が情報伝送手段４Ｂの伝送速度Ｖ２よりも大きい場合には、各分割データのうち情報伝送手段４Ａを介して送信したいずれかの分割データの転送時間が、情報伝送手段４Ｂを介して送信した他の分割データの転送時間よりも小さくなる。そして、プロジェクタ３側では、各分割データのうち前記いずれかの分割データと前記他の分割データとで記憶されるタイミングが異なることとなり、前記他の分割データが記憶された後に、各記憶部３２３１，３２３２から各分割データを読み出して処理済み画像データを生成し、画像を表示させることとなる。したがって、上述したように各情報伝送手段４Ａ，４Ｂの各伝送速度が異なっている場合には、伝送速度の小さい低速な情報伝送手段４Ｂを介した分割データの転送時間を考慮して、伝送速度の大きい高速な情報伝送手段４Ａを介して分割データを送信する必要があり、すなわち、高速な情報伝送手段４Ａの利用時間が短くなり（停止している状態が長くなり）各情報伝送手段４Ａ，４Ｂの性能を十分に活かすことができない。
【００６９】
本実施形態では、情報送信制御部２３６１Ａは、各情報伝送手段４Ａ，４Ｂの規格に応じた各伝送速度Ｖ１，Ｖ２の比率で処理済み画像データを領域毎に分割して各分割データを生成する。また、情報送信制御部２３６１Ａは、データ量の多い分割データを高速な情報伝送手段４Ａを介してプロジェクタ３側に送信させ、データ量の少ない分割データを低速な情報伝送手段４Ｂを介してプロジェクタ３側に送信させる。このことにより、図９に示すように、各情報伝送手段４Ａ，４Ｂを介した各分割データＤの各転送時間を同一にすることができる。すなわち、図９に示すように、情報送信制御部２３６１Ａが各分割データを各情報伝送手段４Ａ，４Ｂを介して同一のタイミングで順次送信させることで、プロジェクタ３側では、各分割データが記憶されるタイミングが同一となり、同一のタイミングで記憶された後、各記憶部３２３１，３２３２から各分割データを読み出して処理済み画像データを生成し、処理済み画像データに基づく画像を表示できる。したがって、各情報伝送手段４Ａ，４Ｂの各伝送速度が異なっている場合であっても、低速な情報伝送手段４Ｂに対して高速な情報伝送手段４Ａの利用時間を短くすることなく各情報伝送手段４Ａ，４Ｂの各利用時間を同一にし、各情報伝送手段４Ａ，４Ｂの各性能を十分に活かすことができる。
【００７０】
[第３実施形態]
次に、本発明の第３実施形態を図面に基づいて説明する。
なお、以下の説明では、既に説明した部分と同一の部分については、同一符号を付してその説明を省略する。
図１０は、第３実施形態におけるＰＣ２Ｂの概略構成を示すブロック図である。
前記第２実施形態では、ＰＣ２Ａを構成する制御部本体２３６Ａの情報送信制御部２３６１Ａは、用いる情報伝送手段４の数、および各情報伝送手段４の規格に応じた各伝送速度に関する情報に基づいて、１フレームの処理済み画像データ（画像情報）を空間（領域）で分割して複数の分割データを生成している。
これに対して第３実施形態では、ＰＣ２Ｂを構成する制御部本体２３６Ｂは、図１０に示すように、表示部２２を駆動制御し同一画面上に複数のプログラムやデータを表示部２２上の所定の領域（ウィンドウ）に表示可能（所謂、マルチウィンドウシステム）とする表示制御部２３６４Ｂと、表示部２２に表示された表示画像データを取得する表示画像取得部２３６５Ｂと、表示画像データをウィンドウ毎に分割して複数の分割データを生成して送受信部２３１にてプロジェクタ３側に送信させる情報送信制御部２３６１Ｂ等を備える。すなわち、本実施形態では、前記第２実施形態に対して、ＰＣ２Ｂに表示制御部２３６４Ｂおよび表示画像取得部２３６５Ｂが付加された点、および情報送信制御部２３６１Ｂの処理構造が異なるのみであり、その他の構成は前記第２実施形態と同様のものである。
【００７１】
図１１は、情報空間分割部２３６２Ｂによる分割データの生成方法の一例を示す図である。
表示制御部２３６４Ｂは、例えば操作部２１の操作により、所定のプログラムにしたがって表示部２２を駆動制御し、例えば図１１（Ａ）の例に示すように、表示部２２上の特定ウィンドウ領域Ａ１に動画等を表示させ、その他の領域Ａ２に背景画像等を表示させる。
表示画像取得部２３６５Ｂは、例えば操作部２１の操作により「表示部２２に表示された画像をプロジェクタ３にて表示させる」旨の設定入力がされた場合に、表示部２２に表示された表示画像データを順次取得し、例えばメインメモリ２３２等に順次記憶する。メインメモリ２３２等に順次記憶された表示画像データは、画像処理部２３５により形状変換処理および色調補正処理等の画像処理が施される。そして、画像処理部２３５は、画像処理を施した処理済み表示画像データを例えばメインメモリ２３２等に順次記憶する。
【００７２】
情報送信制御部２３６１Ｂは、図１０に示すように、情報空間分割部２３６２Ｂと、送信割当部２３６３Ｂとを備える。
情報空間分割部２３６２Ｂは、表示部２２に表示させている表示画像のウィンドウを認識する。例えば、情報空間分割部２３６２Ｂは、図１１（Ａ）に示す例であれば、図１１（Ｂ）に示すように、動画等を表示させている特定ウィンドウ領域Ａ１と、背景画像等を表示させている背景領域Ａ２とを認識する。そして、情報空間分割部２３６２Ｂは、メインメモリ２３２等に記憶された処理済み表示画像データを、特定ウィンドウ領域Ａ１に対応するデータと、背景領域Ａ２に対応するデータとに分割し、前記各データを分割データとして生成する。
なお、分割データのデータ構造としては、前記第２実施形態と同様のデータ構造（例えば、図８に示すデータ構造等）を採用できる。
【００７３】
送信割当部２３６３Ｂは、情報空間分割部２３６２Ｂにて生成された各分割データを、予め例えばメインメモリ２３２等に記憶された各情報伝送手段４の規格に応じた各伝送速度に関する情報に基づいて、送受信部２３１の各データ変換回路２３１１，２３１２に割り当てて所定のタイミングで各情報伝送手段４を介してプロジェクタ３に送信させる。例えば、送信割当部２３６３Ｂは、用いる情報伝送手段４Ａ，４Ｂのうち、情報伝送手段４Ａの伝送速度が情報伝送手段４Ｂの伝送速度よりも大きい場合には、特定ウィンドウ領域Ａ１に対応する第１の分割データを情報伝送手段４Ａに対応する第１データ変換回路２３１１に割り当て、背景領域Ａ２に対応する第２の分割データを情報伝送手段４Ｂに対応する第２データ変換回路２３１２に割り当て、所定のタイミングで各情報伝送手段４Ａ，４Ｂを介してプロジェクタ３側に送信させる。
そして、プロジェクタ３側では、前記第２実施形態と同様に処理され、液晶ライトバルブ３１２に処理済み表示画像データに基づく光学像が形成される。
【００７４】
なお、本実施形態におけるプロジェクションシステム１の動作については、上述したように前記第２実施形態に対してＰＣ２Ｂに表示制御部２３６４Ｂおよび表示画像取得部２３６５Ｂが付加された点、および情報送信制御部２３６１Ｂの処理構造が異なるのみであり、すなわち、前記第２実施形態で説明した図４中のステップＳ１，Ｓ３，Ｓ４の処理が異なるのみである。
【００７５】
上述した第３実施形態においては、前記第２実施形態と略同様の効果の他、以下に示す効果がある。
図１２は、第３実施形態の効果を説明するための図である。
ところで、ＰＣ２Ｂとしてマルチウィンドウシステムを採用した場合には、特定ウィンドウ領域Ａ１では、頻繁に画像が変化する可能性が高く、特定領域以外の領域である背景領域Ａ２では、頻繁に画像が変化する可能性が低い。
本実施形態では、ＰＣ２Ｂは、表示制御部２３６４Ｂを備え、マルチウィンドウシステムで構成されている。また、ＰＣ２Ｂは、表示部２２の表示領域上に表示された画像に関する表示画像データを取得し、表示画像データに対して所定の画像処理を施した後、処理済み表示画像データをプロジェクタ３側に送信して、プロジェクタ３側に処理済み表示画像データに基づく画像（表示部２２の表示領域上に表示された画像）を表示させる。ここで、情報送信制御部２３６１Ｂは、処理済み表示画像データを、特定ウィンドウ領域Ａ１および背景領域Ａ２にそれぞれ対応する各データに分割して、該各データを分割データとして生成する。そして、情報送信制御部２３６１Ｂは、図１２に示すように、各情報伝送手段４Ａ，４Ｂのうち他の情報伝送手段に比較して伝送速度の大きい情報伝送手段４Ａを介して特定ウィンドウ領域Ａ１に対応する分割データＤを送信させる。また、情報送信制御部２３６１Ｂは、図１２に示すように、伝送速度の小さい情報伝送手段４Ｂを介して背景領域Ａ２に対応する分割データＤを送信させる。このことにより、図１２に示すように、プロジェクタ３側にて、頻繁に画像が変化する可能性が高い特定ウィンドウ領域Ａ１に対応する分割データに基づく画像を、頻繁に画像が変化する可能性が低い背景領域Ａ２に対応する分割データに基づく画像に対して、短い表示タイミングＴで更新することが可能となる。したがって、各情報伝送手段４Ａ，４Ｂの性能を適切に利用して、プロジェクタ３側に、表示部２２の表示領域上に表示された画像を良好に表示させることができる。
【００７６】
また、上述した構成では、例えば、特定ウィンドウ領域Ａ１と背景領域Ａ２とで画像処理部２３５にて実施する画像処理（形状変換処理や色調補正処理等）の内容や画素毎の色調データの精度を変えることも可能である。すなわち、動画、静止画、背景等によって画像処理の内容を変化させる。
例えば、特定ウィンドウ領域Ａ１に動画を表示させている場合には、素早く更新することが好ましい。この際、画像処理部２３５では、表示画像データのうち特定ウィンドウ領域Ａ１に対応するデータに対して、画像処理に掛かる時間によりプロジェクタ３による表示画像のフレームレートが低減することのないように、必要最低限の色調補正や動きボケ処理等の画像処理を実施させる。
【００７７】
また、例えば、特定ウィンドウ領域Ａ１に静止画を表示させている場合には、画像が切り換わる瞬間以外は素早い更新を必要としない。このため、画像処理部２３５では、表示画像データのうち特定ウィンドウ領域Ａ１に対応するデータに対しては、最低限の補正を実施し、時間の経過とともに詳細な補正を行って高精細な画像へと発展させる。このような構成では、特定ウィンドウ領域Ａ１に割り当てられた情報伝送手段４Ａが停止する時間を作らずに有効利用するとともに、特定ウィンドウ領域Ａ１に対しては数回の画像処理を他の画像処理の空き時間に畳み込んで繰り返すことで高精細な画像へと発展できるため、ＰＣ２Ｂへの処理負荷を減らすこともできる。
なお、特定ウィンドウ領域Ａ１に静止画を表示させている場合での表示画像データのうち特定ウィンドウ領域Ａ１に対応するデータに対する画像処理とは、例えば、前記静止画が写真であれば、赤目補正、逆光補正など、本来の静止画ファイル上のデータよりも自然風景に近づけるための補正が好ましい。この際、新たな補正の結果は、各画素の色空間での差分値を送信したり、表示する画像が変化した際の変化領域に対応する差分データのみを送信することで精度を損なわずに伝送するデータ量を削減することができる。
【００７８】
[第４実施形態]
次に、本発明の第４実施形態を図面に基づいて説明する。
なお、以下の説明では、既に説明した部分と同一の部分については、同一符号を付してその説明を省略する。
図１３は、第４実施形態におけるＰＣ２Ｃの概略構成を示すブロック図である。
前記第１実施形態では、ＰＣ２を構成する制御部本体２３６の情報送信制御部２３６１は、数フレームの処理済み画像データを時間方向、すなわち、フレーム毎に分割して複数の分割データ（１フレームの処理済み画像データ）を生成している。
これに対して第４実施形態では、ＰＣ２Ｃを構成する制御部本体２３６Ｃの情報送信制御部２３６１Ｃは、処理済み画像データに含まれる画素毎の各色調データを分割して複数の分割データを生成する。すなわち、本実施形態では、前記第１実施形態に対して、ＰＣ２Ｃの情報送信制御部２３６１Ｃの処理構造が主に異なるのみであり、その他の構成は前記第１実施形態と同様のものである。
【００７９】
情報送信制御部２３６１Ｃは、図１３に示すように、色調データ分割部２３６２Ｃと、送信割当部２３６３Ｃとを備える。
色調データ分割部２３６２Ｃは、予め例えばメインメモリ２３２等に記憶された用いる情報伝送手段４の数、および各情報伝送手段４の規格に応じた各伝送速度に関する情報に基づいて、メインメモリ２３２に記憶された１フレームの処理済み画像データ（画像情報）に含まれる画素毎の各色調データを分割して、すなわち、各色調データを上位の所定のビット長を有する主要部分精度データ、および下位の所定のビット長を有する詳細部分精度データに分割して、複数の分割データを生成する。
なお、上述した用いる情報伝送手段４の数に関する情報としては、予め例えばメインメモリ２３２等に記憶しておく構成に限らず、操作部２１を操作することにより設定入力可能に構成してもよく、あるいは、ＵＳＢケーブルやＬＡＮケーブル等の有線にてプロジェクタ３側に情報を送信する場合には接続されているケーブルの数を制御部本体２３６Ｃが検出して認識する構成としても構わない。
【００８０】
図１４は、色調データ分割部２３６２Ｃによる分割データの生成方法の一例を示す図である。
例えば、用いる情報伝送手段４が情報伝送手段４Ａ，４Ｂの２つであり、情報伝送手段４Ａの伝送速度が情報伝送手段４Ｂの伝送速度よりも高い場合でかつ、処理済み画像データに含まれる画素毎の各色調データが１０ビットのデータである場合には、色調データ分割部２３６２Ｃは、図１４に示すように、処理済み画像データに含まれる画素毎の１０ビットの色調データＤ０をそれぞれ、上位８ビット長の主要部分精度データＤＭと、下位２ビット長の詳細部分精度データＤＬとに分割して、主要部分精度データＤＭおよび詳細部分精度データＤＬをそれぞれ含む２つの分割データを生成する。
ここで、図１４（Ａ）に示す色調データＤ０では、階調値が９０７（全階調値が１０２４）であるのに対して、図１４（Ｂ）に示す主要部分精度データＤＭでは階調値が２０６（全階調値が２５６）となる。すなわち、主要部分精度データＤＭは、全階調値を１０２４とした場合に９０４の階調値を有し、色調データＤ０の階調値との階調の差がごく僅かとなり、色調データを決定する際の重要な要素となる。
【００８１】
送信割当部２３６３Ｃは、色調データ分割部２３６２Ｃにて生成された各分割データを、用いる情報伝送手段４の数、および各情報伝送手段４の規格に応じた各伝送速度に関する情報に基づいて、送受信部２３１の各データ変換回路２３１１，２３１２に割り当てて所定のタイミングで各情報伝送手段４を介してプロジェクタ３に送信させる。
より具体的に、送信割当部２３６３Ｃは、上述したように、用いる情報伝送手段４が情報伝送手段４Ａ，４Ｂの２つであり、情報伝送手段４Ａの伝送速度が情報伝送手段４Ｂの伝送速度よりも大きく、色調データ分割部２３６２Ｃにて上位８ビット長の主要部分精度データＤＭを含む第１の分割データ、および下位２ビット長の詳細部分精度データＤＬを含む第２の分割データが生成された場合には、第１の分割データを情報伝送手段４Ａに対応する第１データ変換回路２３１１に割り当て、第２の分割データを情報伝送手段４Ｂに対応する第２データ変換回路２３１２に割り当て、所定のタイミングで各情報伝送手段４Ａ，４Ｂを介してプロジェクタ３側に送信させる。
【００８２】
そして、プロジェクタ３の画像情報生成部３２４１は、各記憶部３２３１，３２３２に順次記憶される分割データを読み出して、所定のビット長（図１４に示した例では１０ビット長）の色調データＤ０を有する処理済み画像データを生成し、該処理済み画像データを液晶パネル駆動制御部３２４２に出力する。液晶パネル駆動制御部３２４２は、画像情報生成部３２４１から出力される処理済み画像データに基づく駆動信号を液晶ライトバルブ３１２に出力し、液晶ライトバルブ３１２に処理済み画像データに基づく光学像を形成させる。
【００８３】
なお、本実施形態におけるプロジェクションシステム１の動作については、上述したように前記第１実施形態に対して情報送信制御部２３６１Ｃの処理構造、および画像情報生成部３２４１の処理構造が異なるのみであり、すなわち、前記第１実施形態で説明した図４中のステップＳ３，Ｓ４，Ｓ７の処理が異なるのみである。
【００８４】
上述した第４実施形態においては、前記第１実施形態と略同様の効果の他、以下に示す効果がある。
ところで、ＰＣ２Ｃの画像処理部２３５によるグラフィック処理機能により、画像データに対して所定の画像処理、例えば、色調補正処理を実施することで、例えば、元々画素毎に８ビット精度であった色調データを画素毎に１０ビット以上の精度を有する色調データに変換することができる。すなわち、このような高精度の色調データを含む処理済み画像データをプロジェクタ３側に送信して表示させることで、高精細な画像を表示させることができる。しかしながら、色調データのビット数が増大するため、情報伝送手段を介してプロジェクタ３側に送信するデータ量が大きくなり、データの伝送を円滑に実施することが難しい。
【００８５】
本実施形態では、情報送信制御部２３６１Ｃは、処理済み画像データに含まれる画素毎の色調データを、所定のビット長で分割して複数の分割データを生成するので、各分割データを各データ変換回路２３１１，２３１２に割り当てて、各情報伝送手段４Ａ，４Ｂを介して並列に各分割データをプロジェクタ３側に送信できる。そして、プロジェクタ３側では、画像情報生成部３２４１が各記憶部３２３１，３２３２に記憶された各分割データを読み出して処理済み画像データを生成することで、処理済み画像データに基づく画像を表示する。すなわち、送信する各情報（分割データ）のデータ量を削減して情報の伝送を円滑に実施でき、プロジェクタ３側にて高精細な画像を表示できる。
【００８６】
ここで、情報送信制御部２３６１Ｃは、色調データにおいて、画素の色情報を決定する際に重要な要素となる最上位から数ビット長の主要部分精度データと、他のビット長の詳細部分精度データとに分割して各分割データを生成する。そして、例えば、情報送信制御部２３６１Ｃが、情報伝送手段４Ａ，４Ｂのうちいずれかの情報伝送手段を介して最低限必要な主要部分精度データを有する分割データをプロジェクタ３側に送信し、プロジェクタ３側に最低限必要な精度で画像を表示させる。また、他の情報伝送手段を適宜、用いることで前記他の情報伝送手段を介して詳細部分精度データを有する分割データをプロジェクタ３側に送信し、プロジェクタ３側に主要部分精度データおよび詳細部分精度データに基づいて、より高精細な画像を表示させる。このような構成であれば、利用者に用いる情報伝送手段を適宜、選択させることで、プロジェクタ３側にて表示させる画像の精度を変更でき、プロジェクションシステム１の利便性の向上が図れる。
【００８７】
[第５実施形態]
次に、本発明の第５実施形態を図面に基づいて説明する。
なお、以下の説明では、既に説明した部分と同一の部分については、同一符号を付してその説明を省略する。
図１５は、第５実施形態におけるプロジェクションシステム１Ｄの概略構成を示すブロック図である。
前記第１実施形態ないし前記第４実施形態では、プロジェクションシステム１は、情報伝送手段４を介してプロジェクタ３に対して、１つのみのＰＣ２（２Ａ，２Ｂ，２Ｃ）が接続されている。
これに対して第５実施形態では、プロジェクションシステム１Ｄは、図１５に示すように、情報伝送手段４を介してプロジェクタ３Ｄに対して、複数（図１５に示す例では２つ）のＰＣ２（２Ａ，２Ｂ，２Ｃ）が接続されている。そして、プロジェクタ３Ｄは、各ＰＣ２（２Ａ，２Ｂ，２Ｃ）から送信された各画像データに基づく画像を、図１５に示すように、それぞれ所定位置Ｐ１，Ｐ２に表示させる。すなわち、本実施形態では、前記第１実施形態ないし前記第４実施形態に対して、プロジェクションシステム１ＤにおけるＰＣの数と、プロジェクタ３Ｄにおける送受信部３２１Ｄ、情報記憶部３２３Ｄ、および画像情報生成部３２４１Ｄの処理構造とが主に異なるのみであり、その他の構成は前記第１実施形態ないし前記第４実施形態と同様のものである。
【００８８】
本実施形態では、情報伝送手段４は、プロジェクタ３Ｄに接続するＰＣ２（２Ａ，２Ｂ，２Ｃ）に数に応じた数だけ設けられている。すなわち、情報伝送手段４は、図１５に示す例では、情報伝送手段４Ａ，４Ｂ，４Ｃ，４Ｄの４つで構成されている。なお、図１５に示す例では、２つのＰＣ２（２Ａ，２Ｂ，２Ｃ）のうち、一方のＰＣ２（２Ａ，２Ｂ，２Ｃ）とプロジェクタ３Ｄとが２つの情報伝送手段４Ａ，４Ｂにて接続され、他方のＰＣ２（２Ａ，２Ｂ，２Ｃ）とプロジェクタ３Ｄとが２つの情報伝送手段４Ｃ，４Ｄにて接続されている。
【００８９】
図１６は、第５実施形態におけるプロジェクタ３Ｄの概略構成を示すブロック図である。
送受信部３２１Ｄは、前記第１実施形態で説明した送受信部３２１と同様の構成であり、接続するＰＣ２（２Ａ，２Ｂ，２Ｃ）の数に応じた数だけデータ変換回路等を有する。すなわち、送受信部３２１Ｄは、図１５、図１６に示す例では、情報受信部としての４つのデータ変換回路３２１１，３２１２，３２１３，３２１４等を備えている。
なお、本実施形態では、図１６に示すように、情報伝送手段４Ａを介してデータの送受信を実施するデータ変換回路を第１データ変換回路３２１１とし、情報伝送手段４Ｂを介してデータの送受信を実施するデータ変換回路を第２データ変換回路３２１２とし、情報伝送手段４Ｃを介してデータの送受信を実施するデータ変換回路を第３データ変換回路３２１３とし、情報伝送手段４Ｄを介してデータの送受信を実施するデータ変換回路を第４データ変換回路３２１４とする。
【００９０】
情報記憶部３２３Ｄは、前記第１実施形態で説明した情報記憶部３２３と同様の構成であり、送受信部３２１Ｄを構成する各データ変換回路に対応した各記憶部を有する。すなわち、情報記憶部３２３Ｄは、図１５、図１６に示す例では、４つのデータ変換回路３２３１，３２１２，３２１３，３２１４に対応した記憶部３２３１，３２３２，３２３３，３２３４の４つで構成されている。
なお、本実施形態では、図１５に示すように、第１データ変換回路３２１１にて受信したデータを記憶する記憶部を第１記憶部３２３１とし、第２データ変換回路３２１２にて受信したデータを記憶する記憶部を第２記憶部３２３２とし、第３データ変換回路３２１３にて受信したデータを記憶する記憶部を第３記憶部３２３３とし、第４データ変換回路３２１４にて受信したデータを記憶する記憶部を第４記憶部３２３４とする。また、、記憶部３２３３，３２３４としては、記憶部３２３１，３２３２と同様に、例えば、ＶＲＡＭ等を採用できる。
【００９１】
画像情報生成部３２４１Ｄは、各記憶部３２３１，３２３２に順次記憶される分割データに基づいて、前記第１実施形態ないし前記第４実施形態で説明したように画像データ（以下、第１の画像データと記載する）を生成する。また、画像情報生成部３２４１Ｄは、各記憶部３２３３，３２３４に順次記憶される分割データに基づいて、同様に、画像データ（以下、第２の画像データと記載する）を生成する。そして、画像情報生成部３２４１Ｄは、前記第１の画像データおよび前記第２の画像データをそれぞれ特定位置に位置付けて表示画像データを生成し、表示画像データを液晶パネル駆動制御部３２４２に出力する。液晶パネル駆動制御部３２４２は、画像情報生成部３２４１Ｄから出力される表示画像データに基づく駆動信号を液晶ライトバルブ３１２に出力し、液晶ライトバルブ３１２に表示画像データに基づく光学像を形成させる。そして、スクリーンＳｃ上には、図１５に示す例のように、第１の画像データに基づく画像Ａと、第２の画像データに基づく画像Ｂとがそれぞれ特定位置に位置付けられて表示される。
【００９２】
なお、本実施形態におけるプロジェクションシステム１Ｄの動作については、上述したように前記第１実施形態ないし前記第４実施形態に対して、プロジェクションシステム１ＤにおけるＰＣの数と、プロジェクタ３Ｄにおける画像情報生成部３２４１Ｄの処理構造とが主に異なるのみであり、すなわち、前記第１実施形態ないし前記第４実施形態で説明した図４中のステップＳ８の処理が異なるのみである。
【００９３】
上述した第５実施形態においては、前記第１実施形態ないし前記第４実施形態と略同様の効果の他、以下に示す効果がある。
本実施形態では、プロジェクタ３Ｄに接続した各ＰＣ２（２Ａ，２Ｂ，２Ｃ）からそれぞれ送信された各処理済み画像データに基づく各画像を表示領域上の所定領域にそれぞれ表示させることができるので、様々な表示形態で表示させることができ、プロジェクションシステム１Ｄの利便性の向上が図れる。
【００９４】
なお、本発明は前述の実施形態に限定されるものではなく、本発明の目的を達成できる範囲での変形、改良等は本発明に含まれるものである。
前記各実施形態では、ＰＣ２（２Ａ，２Ｂ，２Ｃ）側にて、処理済み画像データを分割して複数の分割データを生成し、各分割データを各情報伝送手段４Ａ，４Ｂに割り当てて送信していたが、プロジェクタ３側にて表示させる映像ソースの種類に応じて、複数の分割データを生成して並列に送信するか、あるいは、処理済み画像データを分割せずにそのまま送信するかを選択する構成としても構わない。
すなわち、前記第５実施形態において、処理済み画像データを分割せずにそのまま送信する場合には、前記第５実施形態では情報伝送手段４を情報伝送手段４Ａ，４Ｂ，４Ｃ，４Ｄの４つで構成したが、これに限らず、情報伝送手段４Ａ，４Ｂのうちいずれか一つ、情報伝送手段４Ｃ，４Ｄのうちいずれか一つの計２つのみでＰＣ２（２Ａ，２Ｂ，２Ｃ）およびプロジェクタ３間を接続しても構わない。
【００９５】
前記各実施形態において、分割データを、送信前後（従前に送信した分割データと、これから送信する分割データ）の変化した部分に相当する差分をとり、該差分に関する差分データを分割データとして送信する構成としても構わない。例えば、前記第１実施形態であれば、情報伝送手段４Ａ，４Ｂのうち一方の情報伝送手段を介して送信した分割データ（フレーム毎の処理済み画像データ）と他方の情報伝送手段を介して送信する分割データ（フレーム毎の処理済み画像データ）との変化した部分に相当する差分に関する差分データを、前記他方の情報伝送手段を介して送信する。また、前記第２実施形態ないし前記第４実施形態であれば、情報伝送手段４Ａを介して従前に送信した分割データと、これから送信する分割データの変化した部分に相当する差分に関する差分データを分割データとして送信する。また、情報伝送手段４Ｂを介して従前に送信した分割データと、これから送信する分割データの変化した部分に相当する差分に関する差分データを分割データとして送信する。
【００９６】
前記各実施形態において、前記各実施形態同士をそれぞれ組み合わせた実施形態も採用できる。
【００９７】
前記各実施形態では、透過型の液晶パネル（液晶ライトバルブ３１２）を採用していたが、これに限らず、反射型の液晶パネルを採用してもよく、あるいは、ディジタル・マイクロミラー・デバイス（テキサス・インスツルメント社の商標）を採用してもよい。
前記各実施形態では、液晶ライトバルブ３１２を３枚設けた構成としていたが、これに限らず、１枚のみの液晶ライトバルブ３１２を設ける構成、２枚の液晶ライトバルブ３１２を設ける構成、４枚以上の液晶ライトバルブ３１２を設ける構成としてもよい。
【００９８】
さらに、本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００９９】
本発明は、情報の伝送を円滑に実施でき、画像の表示状態を良好にできるため、プレゼンテーションやホームシアタに用いられるプロジェクタを利用した画像表示システムに利用できる。
【図面の簡単な説明】
【０１００】
【図１】第１実施形態における画像表示システムとしてのプロジェクションシステムの外観図。
【図２】前記実施形態におけるＰＣの概略構成を示すブロック図。
【図３】前記実施形態におけるプロジェクタの概略構成を示すブロック図。
【図４】前記実施形態におけるプロジェクションシステムの動作を説明するフローチャート。
【図５】前記実施形態の効果を説明するための図。
【図６】第２実施形態におけるＰＣの概略構成を示すブロック図。
【図７】前記実施形態における情報空間分割部による分割データの生成方法の一例を示す図。
【図８】前記実施形態における情報空間分割部により生成された分割データのデータ構造の一例を示す図。
【図９】前記実施形態の効果を説明するための図。
【図１０】第３実施形態におけるＰＣの概略構成を示すブロック図。
【図１１】前記実施形態における情報空間分割部による分割データの生成方法の一例を示す図。
【図１２】前記実施形態の効果を説明するための図。
【図１３】第４実施形態におけるＰＣの概略構成を示すブロック図。
【図１４】前記実施形態における色調データ分割部による分割データの生成方法の一例を示す図。
【図１５】第５実施形態におけるプロジェクションシステムの概略構成を示すブロック図。
【図１６】前記実施形態におけるプロジェクタの概略構成を示すブロック図。
【符号の説明】
【０１０１】
１，１Ｄ・・・プロジェクションシステム（画像表示システム）、２，２Ａ，２Ｂ，２Ｃ・・・ＰＣ（情報処理装置）、３，３Ｄ・・・プロジェクタ（画像表示装置）、４，４Ａ，４Ｂ，４Ｃ，４Ｄ・・・情報伝送手段、３１・・・画像投射部（表示装置側表示部）、２３５・・・画像処理部、３２３，３２３Ｄ・・・情報記憶部、２３１１，２３１２・・・データ変換回路（情報送信部）、２３６１，２３６１Ａ，２３６１Ｂ，２３６１Ｃ・・・情報送信制御部、２３６４Ｂ・・・表示制御部（処理装置側表示制御部）、２３６５Ｂ・・・表示画像取得部、３２１１，３２１２，３２１３，３２１４・・・データ変換回路（情報受信部）、３２４１，３２４１Ｄ・・・画像情報生成部、３２４２・・・液晶パネル駆動制御部（表示装置側表示制御部）。
【図１】
2007163725.tif 000003
【図２】
2007163725.tif 000004
【図３】
2007163725.tif 000005
【図４】
2007163725.tif 000006
【図５】
2007163725.tif 000007
【図６】
2007163725.tif 000008
【図７】
2007163725.tif 000009
【図８】
2007163725.tif 000010
【図９】
2007163725.tif 000011
【図１０】
2007163725.tif 000012
【図１１】
2007163725.tif 000013
【図１２】
2007163725.tif 000014
【図１３】
2007163725.tif 000015
【図１４】
2007163725.tif 000016
【図１５】
2007163725.tif 000017
【図１６】
2007163725.tif 000018